(57)【要約】  本発明の表示装置は、外側主面に表示領域および入力領域を有しており、該入力領域に対する入力手段の接触によって入力が行なわれるとともに、前記入力領域における入力位置を検出するための入力部が設けられている第１基板と、該第１基板に対して互いに内側主面同士を対向させて配置された第２基板と、前記第１基板および前記第２基板の間に配置された、前記表示領域に像情報を表示するための表示手段と、前記第２基板に設けられた、前記第１基板の前記入力領域を振動させるための振動体と、該振動体の振動を前記第２基板から前記第１基板に伝達するための振動伝達部材と、を備える表示装置であって、前記振動体は、その全体が前記第２基板の外側主面のうち前記表示領域を除いた非表示領域に対向する非表示対向領域上に設けられていることを特徴とする。
2012090998.tif 000002
【特許請求の範囲】
【請求項１】
外側主面に表示領域および入力領域を有しており、該入力領域に対する入力手段の接触によって入力が行なわれるとともに、前記入力領域における入力位置を検出するための入力部が設けられている第１基板と、
該第１基板に対して互いに内側主面同士を対向させて配置された第２基板と、
前記第１基板および前記第２基板の間に配置された、前記表示領域に像情報を表示するための表示手段と、
前記第２基板に設けられた、前記第１基板の前記入力領域を振動させるための振動体と、
該振動体の振動を前記第２基板から前記第１基板に伝達するための振動伝達部材と、を備える表示装置であって、
前記振動体は、その全体が前記第２基板の外側主面のうち前記表示領域を除いた非表示領域に対向する非表示対向領域上に設けられていることを特徴とする表示装置。
【請求項２】
前記第２基板の前記内側主面のうち前記表示領域に対向する表示対向領域上に表示用電極が設けられており、
前記第２基板の前記内側主面のうち前記非表示対向領域上に、前記表示用電極に接続される表示用配線が設けられており、
平面視して、前記振動体は、前記非表示対向領域のうち前記表示用配線の非形成領域に位置している請求項１に記載の表示装置。
【請求項３】
前記第２基板の前記外側主面のうち前記非表示対向領域上に、前記振動体に接続される振動体用配線が設けられており、
平面視して、該振動体用配線は、前記非表示対向領域のうち前記表示用配線の非形成領域に設けられている請求項２に記載の表示装置。
【請求項４】
前記第２基板の前記外側主面上に偏光板が設けられており、
該偏光板は、前記振動体に重ならないように設けられている請求項１〜３のいずれかに記載の表示装置。
【請求項５】
前記入力部は、該入力部における入力位置で生じた容量の変化を検出する検出手段を備えるものである請求項１〜４のいずれかに記載の表示装置。
【請求項６】
前記入力部は、前記表示領域に近接する入力手段との間で容量の変化を生じる検出電極と、前記容量の変化を前記検出手段に伝えるための検出用配線とを備えており、
前記検出電極は、前記第１基板の前記外側主面または内側主面のうち前記入力領域に設けられ、前記検出用配線は、前記第１基板の前記外側主面または内側主面のうち前記表示領域および前記入力領域を除いた領域に設けられている請求項５に記載の表示装置。
【請求項７】
前記第１基板と前記第２基板との間に液晶層が設けられている請求項１〜６のいずれかに記載の表示装置。
【請求項８】
前記第１基板と前記第２基板との間に発光層が設けられている請求項１〜６のいずれかに記載の表示装置。
【発明の詳細な説明】
【技術分野】
【０００１】
本発明は、携帯電話、デジタルカメラ、携帯ゲーム機または携帯型情報端末などの様々な用途に用いられる表示装置に関する。
【背景技術】
【０００２】
近年、タッチパネル機能を有する表示装置において、使用者が画面を押圧した場合に、押圧した使用者に対して、押しボタンスイッチを押圧したような押圧感を与える表示装置が知られている（例えば、特開２００５−９２５３７号公報）。【０００３】
このような表示装置は、タッチパネルなどの入力部と、このタッチパネルに対向配置された液晶パネルなどの表示パネルと、タッチパネルと表示パネルとを接合するシール部材と、タッチパネルの背面に設けられた圧電素子などの振動体とを備えている。このような表示装置では、タッチパネルへの入力に対応して圧電素子に電圧が印加されると、圧電素子が振動し、この圧電素子の振動に伴い入力部が振動することで、使用者に対して押圧感を伝達している。【０００４】
しかしながら、上記表示装置のように、振動体をタッチパネルの背面に設けてしまうと、タッチパネルの背面にはシール部材も配置されているので、このシール部材によって振動体を配置できる領域が制限されてしまう。そのため、振動体の全体もしくは一部が表示パネルの外側に位置してしまう可能性があり、表示装置の周辺部に位置する非表示領域を含む額縁と呼ばれる部分が大きくなりやすいという問題があった。【０００５】
本発明は、上記の問題点に鑑みてなされたものであり、その目的は、表示装置の額縁が大きくなることを抑制することにある。
【発明の概要】
【０００６】
本発明の表示装置は、外側主面に表示領域および入力領域を有しており、該入力領域に対する入力手段の接触によって入力が行なわれるとともに、前記入力領域における入力位置を検出するための入力部が設けられている第１基板と、該第１基板に対して互いに内側主面同士を対向させて配置された第２基板と、前記第１基板および前記第２基板の間に配置された、前記表示領域に像情報を表示するための表示手段と、前記第２基板に設けられた、前記第１基板の前記入力領域を振動させるための振動体と、該振動体の振動を前記第２基板から前記第１基板に伝達するための振動伝達部材と、を備える表示装置であって、前記振動体は、その全体が前記第２基板の外側主面のうち前記表示領域を除いた非表示領域に対向する非表示対向領域上に設けられていることを特徴とする。
【図面の簡単な説明】
【０００７】
【図１】本発明の第１の実施形態における表示装置を示す平面図である。
【図２】図１のＩ−Ｉ線に沿った断面図である。
【図３】表示パネルを示す平面図である。
【図４】画素の電極を示す平面図である。
【図５】入力部を示す平面図である。
【図６】図１の表示装置の一部を示す断面図である。
【図７】本発明の第２の実施形態における表示装置の要部を示す平面図である。
【図８】本発明の第３の実施形態における表示装置を示す断面図である。
【図９】図８の表示装置の一部を示す断面図である。
【図１０】本発明の第４の実施形態における表示装置の要部を示す平面図である。
【発明を実施するための形態】
【０００８】
［第１の実施形態］
本発明の第１の実施形態における表示装置１について説明する。
【０００９】
表示装置１は、表示パネル２と、表示パネル２上に位置する入力部３と、表示パネル２に設けられている振動体４と、表示パネル２の表示領域ＥＤに向けて光を出射する光源装置５と、入力部３上に配置される第１偏光板６と、表示パネル２と光源装置５との間に配置される第２偏光板７とを備えている。
【００１０】
表示パネル２は、第１基板21と、第１基板21と対向配置される第２基板22と、第１基板21と第２基板22との間に位置する液晶層23と、液晶層23を取り囲むように第１基板21と第２基板22とを接合する接合部材24とを有している。
【００１１】
本実施形態における表示パネル２は、液晶層23を用いて表示領域ＥＤに像情報を表示させる液晶表示パネルである。すなわち、本実施形態における表示パネル２は、信号電極228と共通電極226との間で電界を発生させて液晶層23中の液晶分子の方向を制御する表示手段によって、画素Ｐごとに光源装置５からの光の透過率を調整し、表示領域ＥＤに像を表示する。
【００１２】
また、本実施形態における表示パネル２は、一対の基板のうち一方の基板に設けられた信号電極228と共通電極226との間で電界を発生させて液晶層23中の液晶分子の方向を制御する、いわゆる横電界方式を採用している。なお、本実施形態では横電界方式を採用しているが、これに限定されるものではなく、いかなる方式であってもよい。例えば縦電界方式を採用してもよい。
【００１３】
また、本発明の表示パネル２の表示手段は、液晶層23を用いるものに限定されない。例えば、プラズマ、エレクトロルミネンスなどの発光層などを用いた表示手段であってもよい。
【００１４】
第１基板21は、入力部３側に位置する第１主面21ａ（外側主面）と、第１主面21ａとは反対側に位置する第２主面21ｂ（内側主面）とを有している。第１基板21の第１主面21ａおよび第２主面21ｂは、複数の画素Ｐからなる表示領域ＥＤ、この表示領域ＥＤの外側に位置する非表示領域ＥＮ、表示領域ＥＤ上に位置する入力領域ＥＩを有する。第１基板21の材料は、透光性を有するものが挙げられ、例えばガラス、プラスチックなどである。
【００１５】
第１基板21の第２主面21ｂ上には、遮光膜211、カラーフィルタ212および第１配向膜213が設けられている。
【００１６】
遮光膜211は、第１基板21の第２主面21ｂ上に格子状に設けられている。すなわち、遮光膜211は各画素Ｐの外周に沿って設けられている。遮光膜211の材料としては、例えば、遮光性の高い色（例えば黒色）の染料あるいは顔料が添加された樹脂、またはクロムなどの金属が挙げられる。なお、本実施形態の遮光膜211は格子状に形成されているが、これに限定されない。
【００１７】
カラーフィルタ212は、可視光のうち特定の波長のみを透過させる機能を有するものである。カラーフィルタ212は、第１基板21の第２主面21ｂ上に設けられており、各画素Ｐごとに位置している。各カラーフィルタ212は、赤（Ｒ）、緑（Ｇ）および青（Ｂ）のいずれかの色を有している。また、カラーフィルタ212は、上記の色に限られず、例えば、黄色（Ｙ）、白（Ｗ）などの色を有してもよい。カラーフィルタ212の材料としては、例えば染料あるいは顔料を添加した樹脂が挙げられる。
【００１８】
第１配向膜213は液晶層23の液晶分子の配向を制御する機能を有する。第１配向膜213は遮光膜211およびカラーフィルタ212上に設けられている。第１配向膜213の材料としてはポリイミド樹脂などの樹脂が挙げられる。
【００１９】
第２基板22は、第１基板21の第２主面21ｂに対向する第１主面22ａ（内側主面）と、第１主面22ａの反対側に位置する第２主面22ｂ（外側主面）とを有している。また、第２基板22の第１主面22ａおよび第２主面22ｂは、第１基板21の表示領域ＥＤに対向する表示対向領域ＥFDと、第１基板21の非表示領域ＥＮに対向する非表示対向領域ＥＦＮとを有している。また、第２基板22の材料は第１基板21と同様である。
【００２０】
第２基板22の第１主面22ａ上には、複数のゲート配線221と、複数のゲート配線221を覆うように第１主面22ａ上に設けられた第１絶縁膜222と、複数のゲート配線221と交差するように第１絶縁膜222上に設けられた複数のソース配線223と、薄膜トランジスタ224と、複数のソース配線223を覆うように第１絶縁膜222上に設けられた第２絶縁膜225と、この第２絶縁膜225上に設けられた共通電極226（表示用電極）と、共通電極226を覆うように第２絶縁膜225上に設けられた第３絶縁膜227と、第３絶縁膜227上に設けられた複数の信号電極228（表示用電極）と、ゲート配線221、ソース配線223および共通電極226のいずれかに接続される表示用配線229と、信号電極228および第３絶縁膜227上に設けられている第２配向膜2210と、表示用配線229と接続されているドライバＩＣとが配置されている。
【００２１】
ゲート配線221は、ドライバＩＣから供給される電圧を薄膜トランジスタ224に印加する機能を有する。ゲート配線221は表示対向領域ＥＦＤに位置している。図４に示すように、ゲート配線221はＸ方向に延在している。また、複数のゲート配線221はＹ方向に沿って配列されている。ゲート配線221は、導電性を有する材料によって形成され、例えば、アルミニウム、モリブデン、チタン、ネオジム、クロム、銅またはこれらを含む合金によって形成される。
【００２２】
第１絶縁膜222は、ゲート配線221とソース配線223とを電気的に絶縁する機能を有する。第１絶縁膜222は、絶縁性を有する材料によって形成され、例えば、窒化珪素、酸化珪素などが挙げられる。
【００２３】
ソース配線223は、ドライバICから供給される信号電圧を薄膜トランジスタ224を介して信号電極228に印加する機能を有する。ソース配線223は表示対向領域ＥＦＤに位置している。図４に示すように、ソース配線223はＹ方向に延在している。なお、本実施形態のソース配線223は直線状に形成されているが屈曲させて形成してもよい。また、複数のソース配線223はＸ方向に沿って配列されている。ソース配線223はゲート配線221と同様の材料で形成してもよい。
【００２４】
薄膜トランジスタ224は、アモルファスシリコンもしくはポリシリコンなどの半導体層と、この半導体層上に設けられるとともに、ソース配線223に接続されたソース電極と、ドレイン電極とを有する。
【００２５】
薄膜トランジスタ224では、ゲート配線221を介して半導体層に印加される電圧に応じてソース電極およびドレイン電極間の半導体層の抵抗が変化することで、信号電極228への画像信号の書き込みもしくは非書き込みが制御される。
【００２６】
第２絶縁膜225はソース配線223と共通電極226とを電気的に絶縁する機能を有する。第２絶縁膜225は、絶縁性を有する材料によって形成され、例えば樹脂などが挙げられる。
【００２７】
第３絶縁膜227は、信号電極228と共通電極226とを電気的に絶縁する機能を有する。第３絶縁膜227は第１絶縁膜222と同様の材料で形成してもよい。
【００２８】
共通電極226は、ドライバＩＣから印加された電圧によって信号電極228との間で電界を発生させる機能を有する。共通電極226は、表示対向領域ＥＦＤにおける第２絶縁膜225上に設けられている。共通電極226は、透光性および導電性を有する材料によって形成され、例えばＩＴＯ（Indium Tin Oxide）、ＩＺＯ（Indium Zinc Oxide）、ＡＴＯ（Antimony Tin Oxide）、ＡＺＯ（Al-Doped Zinc Oxide）、酸化錫、酸化亜鉛または導電性高分子によって形成される。
【００２９】
信号電極228は、ドライバＩＣから供給された信号電圧によって共通電極226との間で電界を発生させる機能を有する。複数の信号電極228は第３絶縁膜227上に設けられており、各画素Ｐごとに位置している。なお、本実施形態の信号電極228は矩形状に形成されているが、この信号電極228を屈曲させて形成してもよい。これによって、画素Pを複数の領域に分割でき、それぞれの領域での液晶分子の配向を変えることができる。信号電極228は共通電極226と同様の材料で形成してもよい。
【００３０】
なお、本実施形態では、共通電極226、第３絶縁膜227、信号電極228の順に設けているが、これに限られない。すなわち、信号電極228上に第３絶縁膜227を介在させて共通電極226を形成させて、信号電極228、第３絶縁膜227、共通電極226の順に設けてもよい。
【００３１】
表示用配線229は表示パネル２を駆動するための電圧が印加される配線である。表示用配線229は、例えば、ゲート配線221、ソース配線223、共通電極226に接続されている。複数の表示用配線229は第２基板22の第１主面22ａ上に設けられており、非表示領域ＥＮに位置している。
【００３２】
第２配向膜2210は液晶層23の液晶分子の配向を制御する機能を有する。第２配向膜2210は信号電極228および第３絶縁膜227上に設けられている。
【００３３】
ドライバＩＣはゲート配線221、ソース配線223などの駆動を制御する機能を有する。ドライバＩＣは、表示対向領域ＥＦＮにおける第２基板22の第２主面22ａ上に位置している。ドライバＩＣは第１基板21の辺に沿って設けられている。ドライバＩＣには複数の表示用配線229が接続されている。
【００３４】
液晶層23は、第１基板21と第２基板22との間に設けられている。液晶層23は、ネマティック液晶、またはコレステリック液晶などの液晶分子を含んでいる。
【００３５】
接合部材24は、第１基板21と第２基板22とを貼り合わせる機能を有する。接合部材24は、表示領域ＥＤを取り囲むようにして第１基板21と第２基板22との間に設けられている。この接合部材24は、粘着性を有する樹脂などによって形成される。
【００３６】
入力部３は、第１基板21の第１主面21ａ上に設けられている。本実施形態では、入力部３はシール部材Ｔを介して第１基板21の第１主面21ａ上に設けられている。シール部材Ｔは、表示領域ＥＤの四辺を取り囲むように設けられている。シール部材Ｔの材料としては接着性を有する樹脂が挙げられる。
【００３７】
表示装置１では、振動体４が入力部用基板31ではなく第２基板22の第２主面22ｂ上に設けられているので、シール部材Ｔの形成領域が振動体４によって制限されない。そのため、入力部３と表示パネル２との接合強度を向上させることができ、振動体４の振動を使用者に伝達しやすくなる。
【００３８】
本実施形態における入力部３は、検出方式として静電容量方式を採用している。なお、本実施形態における入力部３には静電容量方式を採用しているが、これに限定されるものではなく、例えば、抵抗膜方式、表面弾性波方式、赤外線方式または電磁誘導方式を採用してもよい。
【００３９】
入力部３は、図５および図６に示すように、入力部用基板31と、入力部用基板31上に、Ｘ方向およびＹ方向に沿って配列された複数の検出電極32と、検出電極32に接続された複数の検出用配線33と、検出電極32同士が交差する部分に位置する絶縁体34とを有する。
【００４０】
入力部用基板31は、透光性を有する材料によって、例えば、ガラス、プラスチックなどで形成される。
【００４１】
検出電極32は、入力領域ＥＩに対向した領域における入力部用基板31上に位置している。複数のひし形状の電極がＹ方向に接続されてなる検出電極32は、Ｘ方向に配列されている。複数のひし形状の電極がＸ方向に接続されてなる検出電極32は、Ｙ方向に配列されている。Ｘ方向に配列された検出電極32とＹ方向に配列された検出電極32とは交差しており、この交差する領域には絶縁体34が位置している。
【００４２】
検出電極32の材料としては、透光性および導電性を有するものが挙げられ、例えばＩＴＯ、ＩＺＯ、ＡＴＯ、ＡＺＯ、酸化錫、酸化亜鉛、導電性高分子などである。
【００４３】
検出用配線33は、入力部用ドライバから供給される電圧を検出電極32に印加する機能を有する。検出用配線33は、入力部用基板31上における非表示領域ＥＮと対向する領域に設けられている。検出用配線33の材料としては、導電性を有するものが挙げられ、例えば、ＩＴＯ、酸化錫、アルミニウム、アルミニウム合金、銀または銀合金などである。
【００４４】
絶縁体34は、交差する検出電極32同士を電気的に絶縁する機能を有する。絶縁体34は、検出電極32の一部を覆うように入力部用基板31上に設けられている。絶縁体34の材料としては、透光性および絶縁性を有するものが挙げられ、例えば、アクリル樹脂などである。
【００４５】
次に、入力部３の入力位置の検出原理について説明する。
【００４６】
入力部３においては、隣接する検出電極32が近接して配置されているので、隣接する検出電極32間では浮遊容量が発生する。すなわち、入力部３では、複数の浮遊容量素子が表示領域ＥＤにマトリックス状に配置されている。複数の検出電極32に電圧が印加されると、各浮遊容量素子に電荷が蓄積される。この状態で、使用者の指などの入力手段が入力部３に接触すると、指が入力部３に接触した領域に存在する浮遊容量素子の浮遊容量が変化する。それにより、接触部分に存在する浮遊容量素子に蓄積される電荷量も変化する。その結果、接触部分に存在する複数の検出電極32の電圧も変化する。この検出電極32の電圧変化は、検出手段としての入力部用ドライバによって読み取られる。もし、入力部用ドライバによって読み取られた電圧変化が所定値を超えていた場合は、入力部用ドライバは所定値を超えた電圧の変化をした検出電極32を認識し、認識した複数の検出電極32における交差部分を入力位置として認識する。
【００４７】
振動体４は、使用者の指などによる押圧に応じて表示装置１を振動させる機能を有する。振動体４は、図２に示すように、表示パネル２の第２基板22の第２主面22ｂ上に設けられている。また、図３に示すように、振動体４全体が非表示対向領域ＥＦＮ内に位置するように設けられている。本実施形態における振動体４は、表示用配線229に重なっている。また、振動体４の形状は、平面視で矩形状をなしている。
【００４８】
なお、本実施形態では振動体４が２つ設けられているが、振動体４の数については特に限定されない。
【００４９】
振動体４における第２主面22ｂと対向する表面には、電極端子41が設けられている。電極端子41には、振動体用配線42が導電性接合材を介して接続されている。導電性接合材の材料としては、金、錫、銀、パラジウム、銅、ニッケルなどの金属もしくはこれらを含んだ合金、または金属微粒子を含んだ樹脂などが挙げられる。
【００５０】
振動体用配線42は、電源から供給される電圧を振動体４に印加する機能を有する。振動体用配線42は、非表示対向領域ＥＦＮにおける第２基板22の第２主面22ｂ上に設けられている。表示装置１では、振動体４に正の電圧を印加する振動体用配線421と、振動体４に負の電圧を印加する振動体用配線422が設けられている。また、本実施形態の振動体用配線42は、非表示対向領域ＥＦＮを取り囲むように設けられている。さらに、本実施形態の振動体用配線42は、平面視して表示用配線229に重なっている。
【００５１】
振動体用配線42の材料としては、検出用配線33と同様のものが挙げられる。また、導電性ペーストを印刷法によって形成してもよい。振動体用配線42を印刷法によって形成すると、振動体用配線42の厚みを厚くできるので低抵抗化が図れ、消費電力の低減を図れる。
【００５２】
表示装置１では、振動体４が、表示パネル２の第２基板22の第２主面22ｂ上であって非表示対向領域ＥＦＮ内に位置しているので、振動体４の全部または一部が表示パネル２の表示領域ＥＤおよび表示パネルの外側には位置していない。これにより、非表示対向領域ＥＦＮのスペースを有効に利用して振動体４を配置できるので、振動体４を入力部３の入力部用基板31に設ける場合に比べて、表示装置１の額縁が大きくなることを抑制できる。
【００５３】
本実施形態における振動体４は、該振動体４に加えられた力を電圧に変換するとともに、電極端子41を介して印加される電圧を力（振動）に変換する、いわゆる圧電効果を利用した圧電素子である。本実施形態における振動体４は、複数枚の圧電体を貼り合わせることによって構成されるバイモルフ型の圧電素子であるが、これに限らず、モノモルフ型の圧電素子であってもよい。バイモルフ型の圧電素子は、複数枚の圧電体のそれぞれに差動的な電圧を加えることにより、複数枚の圧電体の伸縮方向が反対になるため、圧電素子４に反りが生じ、これによって圧電素子４が振動することを利用したものである。
【００５４】
なお、上記の実施形態では、振動体４としては、圧電素子によって実現される例について説明したが、これに限らず、例えば、電磁式振動体、あるいはモータ等によって実現してもよい。
【００５５】
光源装置５は、表示パネル２の表示領域ＥＤに向けて光を出射する機能を有する。光源装置５は、光源51と、導光板52とを有している。なお、本実施形態における光源装置５では、光源51にＬＥＤなどの点光源を採用しているが、冷陰極管などの線光源を採用してもよい。また、光源装置５の導光板52は緩衝性の支持体Ｓを介して第２基板22の第２主面に固定されている。
【００５６】
第１偏光板６は、所定の振動方向の光を選択的に透過させる機能を有する。この第１偏光板６は、粘着剤61を介して入力部３上に設けられている。なお、本実施形態では、第１偏光板６は入力部３上に位置しているが、これに限られない。例えば、第１基板21の第１主面21ａと入力部３との間に設けてもよい。
【００５７】
第２偏光板７は、所定の振動方向の光を選択的に透過させる機能を有する。この第２偏光板７は、第２基板22の第２主面22ｂ上に位置している。
【００５８】
また、第２偏光板７は振動体４に重ならないように設けられている。第２偏光板７が振動体４に重なってしまうと、振動体４の厚み分だけ第２偏光板７が第２基板22から離間してしまい、表示装置１の厚みが厚くなる可能性がある。これに対して、第２偏光板７を振動体４に重ねないことで、表示装置１の厚みが厚くなることを抑制できる。
【００５９】
［第２の実施形態］
図７は、第２の実施形態における表示装置１Ａの要部を示す図である。
【００６０】
表示装置１Ａは、表示装置１に対比して、振動体４が表示パネル２の表示用配線229の非形成領域に位置している点で異なる。
【００６１】
振動体４を振動させるために印加される電圧は、ゲート配線221、ソース配線223および共通電極226に接続される表示用配線229に印加される電圧に比べて大きくなる。そのため、振動体４に印加される電圧によって発生する電磁波が表示用配線229を伝わる信号にノイズとして影響を与え、画像表示に対して影響を与える可能性がある。
【００６２】
これに対して、表示装置１Ａでは、振動体４が表示パネル２の表示用配線229の非形成領域に位置しており、振動体４が表示用配線229に重ならないので、振動体４に印加される電圧が表示用配線229に与える影響を低減できる。
【００６３】
また、表示装置１Ａでは、振動体用配線42が表示パネル２の表示用配線229の非形成領域に位置しており、表示パネル２の表示用配線229に重ならないように設けられている。これにより、振動体用配線42に印加される電圧によって生じる電磁波が表示用配線229に与える影響を低減できる。
【００６４】
［第３の実施形態］
図８および図９は、第３の実施形態における表示装置１Ｂを示す図である。
【００６５】
表示装置１Ｂは、表示装置１と対比して、入力部３が入力部用基板31を有さない点で異なる。
【００６６】
表示装置１Ｂでは、入力部３の検出電極32が第１基板21の第１主面21ａに接触して設けられている。これにより、入力部３の入力部用基板31と第１基板21の第１主面21ａとの間に設けられる空間をなくすことができ、表示装置１の厚みを小さくできる。
【００６７】
また、上記空間がなくなることで、この空間に存在する空気層がなくなるので、太陽光、照明光などの外部光が表示パネル２に入射した場合に、入力部用基板31と空気層との境界および空気層と第１基板との境界での光の反射がなくなり、映り込みの発生を低減でき、表示品位を向上させることができる。
【００６８】
また、入力部３が入力部用基板31を有さないので、使用者に対して振動体４の振動を伝達しやすくなる。
【００６９】
［第４の実施形態］
図１０は、第４の実施形態における表示装置１Ｃを示す図である。
【００７０】
表示装置１Ｃは、表示装置１と対比して、フレキシブル回路基板などの外部回路基板（不図示）と接続する外部接続領域ＥＰＣに振動体用配線42の両端が位置している点で異なる。
【００７１】
外部接続領域ＥＰＣは、第２基板22の第１主面22ａおよび第２主面22ｂのうち外部回路基板が対向する領域をいう。この外部接続領域ＥＰＣにおいて、導電性接合部材を介して表示パネル２の電極端子と外部回路基板の電極端子が接続されることになる。
【００７２】
表示装置１Ｃでは、表示パネル２の電極端子だけでなく、振動用配線42の両端も外部接続領域ＥＰＣに位置しているので、表示パネル２の電極端子と振動体４の振動体用配線42とを共通の外部回路基板によって接続できる。すなわち、表示パネル２のための外部回路基板と、振動体４のための外部回路基板とを別個に備える必要がなくなるので、部品点数を削減できる。
【符号の説明】
【００７３】
１、１Ａ、１Ｂ、１Ｃ  表示装置
２  表示パネル
21  第１基板
21ａ  第１主面（外側主面）
ＥＤ  表示領域
Ｐ  画素
ＥＮ  非表示領域
ＥＩ  入力領域
21ｂ  第２主面（内側主面）
211  遮光膜
212  カラーフィルタ
213  第１配向膜
22  第２基板
22ａ  第１主面（内側主面）
ＥＦＤ  表示対向領域
ＥＦＮ  非表示対向領域
22ｂ  第２主面（外側主面）
221  ゲート配線
222  第１絶縁膜
223  ソース配線
224  薄膜トランジスタ
225  第２絶縁膜
226  共通電極（表示用電極）
227  第３絶縁膜
228  信号電極（表示用電極）
229  表示用配線
2210  第２配向膜
23  液晶層
24  接合部材（振動伝達部材）
IC  ドライバ
３  入力部
31  入力部用基板
32  検出電極
33  検出用配線
34  絶縁体
Ｔ  シール部材
４  振動体
41  電極端子
42（421、422）  振動体用配線
５  光源装置
51  光源
52  導光板
Ｓ  支持体
６  第１偏光板
61  粘着剤
７  第２偏光板
【図１】
2012090998.tif 000003
【図２】
2012090998.tif 000004
【図３】
2012090998.tif 000005
【図４】
2012090998.tif 000006
【図５】
2012090998.tif 000007
【図６】
2012090998.tif 000008
【図７】
2012090998.tif 000009
【図８】
2012090998.tif 000010
【図９】
2012090998.tif 000011
【図１０】
2012090998.tif 000012
【手続補正書】
【提出日】平成26年1月8日(2014.1.8)
【手続補正１】
【補正対象書類名】特許請求の範囲
【補正対象項目名】請求項１
【補正方法】変更
【補正の内容】
【請求項１】
外側主面に表示領域および入力領域を有しており、該入力領域に対する入力手段の接触によって入力が行なわれるとともに、前記入力領域における入力位置を検出するための入力部が設けられている第１基板と、
該第１基板に対して互いに内側主面同士を対向させて配置された第２基板と、
前記第１基板および前記第２基板の間に配置された、前記表示領域に像情報を表示するための表示手段と、
前記第２基板に設けられた、前記第１基板の前記入力領域を振動させるための振動体と、該振動体の振動を前記第２基板から前記第１基板に伝達するための振動伝達部材と、を備える表示装置であって、
前記振動体は、その全体が前記第２基板の外側主面のうち前記表示領域を除いた非表示領域に対向する非表示領域上に設けられており、
前記入力部の検出電極は、前記第１基板上に直接設けられていることを特徴とする表示装置。
【手続補正２】
【補正対象書類名】明細書
【補正対象項目名】０００６
【補正方法】変更
【補正の内容】
【０００６】
本発明の表示装置は、外側主面に表示領域および入力領域を有しており、該入力領域に対する入力手段の接触によって入力が行なわれるとともに、前記入力領域における入力位置を検出するための入力部が設けられている第１基板と、該第１基板に対して互いに内側主面同士を対向させて配置された第２基板と、前記第１基板および前記第２基板の間に配置された、前記表示領域に像情報を表示するための表示手段と、前記第２基板に設けられた、前記第１基板の前記入力領域を振動させるための振動体と、該振動体の振動を前記第２基板から前記第１基板に伝達するための振動伝達部材と、を備える表示装置であって、前記振動体は、その全体が前記第２基板の外側主面のうち前記表示領域を除いた非表示領域に対向する非表示領域上に設けられており、前記入力部の検出電極は、前記第１基板上に直接設けられていることを特徴とする。
【国際調査報告】
2012090998.tif 000013
2012090998.tif 000014